(57)【特許請求の範囲】
【請求項１】
アウターボックスと、該アウターボックス内に設けられているインナーボックスと、該アウターボックスと該インナーボックスの間に設けられているロールガイドと、該インナーボックスと該ロールガイドの間の隙間に収納されるサンドイッチシートとを備え、該ロールガイドは該インナーボックスの底部を囲む湾曲ガイド面部を有し、該湾曲ガイド面部の湾曲軸は該インナーボックスの底部と略平行になっていることを特徴とする書類搬送用ケース。
【請求項２】
前記アウターボックスが、前面部と、該前面部と所定間隔をおいて対向する背面部と、該前面部の底辺と該背面部の底辺を繋ぐ底部と、該前面部の側辺と該背面部の側辺を繋ぐ一対の側部と、該背面部の上辺近傍に折曲可能に設けられた蓋部とを備えた扁平な箱状体からなり、該蓋部には取手及び一の連結具が設けられ、該前面部には他の連結具が設けられ、該一の連結具と該他の連結具は連結・連結解除可能になっていることを特徴とする請求項１に記載の書類搬送用ケース。
【請求項３】
前記インナーボックスが、前面部と、該前面部と所定間隔をおいて対向する背面部と、該前面部の底辺と該背面部の底辺を繋ぐ底部と、該前面部の側辺と該背面部の側辺を繋ぐ一対の側部とを備えた扁平な箱状体からなることを特徴とする請求項１又は２に記載の書類搬送用ケース。
【請求項４】
前記ロールガイドが、前記湾曲ガイド面部から前記インナーボックスの前面部に延長形成されて該前面部に端部が取り付けられている前ガイド面部と、前記湾曲ガイド面部から前記インナーボックスの背面部側に延長形成されている後ガイド面部とを備えていることを特徴とする請求項１〜３のいずれかに記載の書類搬送用ケース。
【請求項５】
前記アウターボックスの背面部の上方位置に前記ロールガイドの後ガイド面部の端部を固定するスリットが設けられていることを特徴とする請求項４に記載の書類搬送用ケース。
【請求項６】
前記インナーボックスの背面部の上辺近傍に該インナーボックスの上開口部を塞ぐ蓋部が設けられ、前記アウターボックスの蓋部には該インナーボックスの蓋部の端部を固定するスリットが設けられていることを特徴とする請求項１〜５のいずれかに記載の書類搬送用ケース。
【請求項７】
前記アウターボックスの側部には一の連結手段が設けられ、前記インナーボックスの側部には他の連結手段が設けられ、該一の連結手段と該他の連結手段は相互に連結・連結解除可能になっていることを特徴とする請求項１〜６のいずれかに記載の書類搬送用ケース。
【請求項８】
前記サンドイッチシートが、表面側シート及び裏面側シートからなり、表面側シートの先端部近傍と裏面側シートの先端部近傍が連結されていることを特徴とする請求項１〜７のいずれかに記載の書類搬送用ケース。
【請求項９】
前記サンドイッチシートの裏面側シートの基端部側の略半分の面が補強板で補強されていることを特徴とする請求項８に記載の書類搬送用ケース。
【発明の詳細な説明】
【技術分野】
【０００１】
この発明は、大きなサイズの印刷物等を折り目を付けたり、傷付けたりすることなく、安全に運ぶことができる書類搬送用ケース（プレゼンテーションケース）に関するものである。
【背景技術】
【０００２】
大きなサイズの印刷物等を運ぶ場合、従来はその印刷物等を丸めて筒に入れて運ぶか、その印刷物等を適当なサイズに折り、これを扁平な箱状のカバン（プレゼンテーションケース）に入れて運ぶかしていた。
【発明の開示】
【発明が解決しようとする課題】
【０００３】
しかし、印刷物等を丸めて筒に入れて運んだ場合は、印刷物等に丸まったクセが付いてしまうし、印刷物等を半分に折って扁平な箱状のカバンに入れて運んだ場合は、印刷物等の真ん中付近に折れクセが付いてしまうという不都合があった。
【０００４】
また、扁平な箱状のカバンを使って印刷物等を運ぶ場合、折り畳み傘、録音機、パソコン等、印刷物等以外のものを印刷物等と一緒に入れることがあり、このようにした場合は印刷物等が汚れたり、折れたり、傷付くという不都合があった。
【０００５】
また、扁平な箱状のカバンを使って印刷物等を運ぶ場合、印刷物等を取り出すときに、折り畳み傘、録音機、パソコン等、他人にあまり見せたくないものを印刷物等と一緒に外に取り出さなければならないという不都合があった。
【課題を解決するための手段】
【０００６】
この発明に係る書類搬送用ケースは、アウターボックスと、該アウターボックス内に設けられているインナーボックスと、該アウターボックスと該インナーボックスの間に設けられているロールガイドと、該インナーボックスと該ロールガイドの間の隙間に収納されるサンドイッチシートとを備えている。
【０００７】
該ロールガイドは該インナーボックスの底部を囲む湾曲ガイド面部を有し、該湾曲ガイド面部の湾曲軸は該インナーボックスの底部の長辺と略平行になっている。
【０００８】
前記アウターボックスは、例えば、前面部と、該前面部と所定間隔をおいて対向する背面部と、該前面部の底辺と該背面部の底辺を繋ぐ底部と、該前面部の側辺と該背面部の側辺を繋ぐ一対の側部と、該背面部の上辺近傍に折曲可能に設けられた蓋部とを備えた扁平な箱状のものからなる。
【０００９】
該蓋部には取手及び一の連結具が設けられ、該前面部には他の連結具が設けられ、該一の連結具と該他の連結具は連結可能・連結解除可能に構成されている。
【００１０】
前記インナーボックスは、例えば、前面部と、該前面部と所定間隔をおいて対向する背面部と、該前面部の底辺と該背面部の底辺を繋ぐ底部と、該前面部の側辺と該背面部の側辺を繋ぐ一対の側部とを備えた扁平な箱状のものからなる。
【００１１】
インナーボックスの側部とアウターボックスの側部は密着しているが、インナーボックスの前面部とアウターボックスの前面部との間、インナーボックスの背面部とアウターボックスの背面部との間、インナーボックスの底部とアウターボックスの底部との間には各々空間が形成されている。
【００１２】
前記ロールガイドは、例えば、前記湾曲ガイド面部から前記インナーボックスの前面部に延長形成されて該前面部に端部が取り付けられた前ガイド面部と、前記湾曲ガイド面部から前記インナーボックスの背面部に延長形成された後ガイド面部とを備えたものからなる。
【００１３】
前記アウターボックスの背面部の上方位置には前記ロールガイドの後ガイド面部の端部を固定するスリットを設けてもよい。
【００１４】
前記インナーボックスの背面部の上辺近傍に該インナーボックスの上開口部を塞ぐ蓋部を設け、前記アウターボックスの蓋部に該インナーボックスの蓋部の端部を固定するスリットを設けてもよい。
【００１５】
前記アウターボックスの側部に一の連結手段を設け、前記インナーボックスの側部に他の連結手段を設け、該一の連結手段と該他の連結手段を相互に連結・連結解除可能に構成してもよい。
【００１６】
前記サンドイッチシートは、例えば、表面側シート及び裏面側シートからなり、該表面側シートの先端部近傍と該裏面側シートの先端部近傍を相互に連結させたものからなる。
【００１７】
前記サンドイッチシートの先端部は挿入し易さという点で尖った形状になっているものが好ましい。前記サンドイッチシートの裏面側シートの基端部側の略半分の面は補強板で補強してあるのが好ましい。
【００１８】
前記アウターボックスの蓋部の内側面に、該アウターボックスの背面部の上辺に沿って板厚の途中まで切れた状態の切れ目を一本ないし複数本入れ、該アウターボックスの蓋部が外側に向かって折れ易く、開口状態を保ち易くなるようにしてもよい。
【００１９】
更に、前記アウターボックスの背面部の上辺近傍に内蔵保持シートを設け、普段は内蔵保持シートを背面部の内側に収納させ、該アウターボックスの蓋部を開口状態に保つ必要がある場合は、内蔵保持シートを引っ張り出して取手に内側を通し、取手を引っ張って蓋部を開いた状態で、内蔵保持シートの先端部を内蔵保持シートの基端部付近にベルクロ（面ファスナーあるいはホックなどの連結手段）で固定するようにしてもよい。
【発明の効果】
【００２０】
この発明は、印刷物等をサンドイッチシート内に挟んだ状態でケース内に収納するので、サンドイッチシートを印刷物等とともに曲げても印刷物等が緩やかに湾曲し、ケースの２倍近くの大きさの印刷物等を折れ目を付けることなくケース内に収納して安全に運ぶことができるという効果がある。
【００２１】
また、この発明は印刷物等をインナーボックスとロールシートの間に収納し、印刷物等以外のものをインナーボックス内に収納しているので、印刷物等を傷付けることなく収納して安全に運ぶことができるという効果がある。
【００２２】
また、この発明は印刷物等がアウターボックス、ロールガイド及びサンドイッチシートによって三重に保護され、しかもこれらの間に空間が形成されているので、ケースの外部から衝撃が加えられても印刷物等が安全に守られるという効果がある。
【００２３】
また、この発明はロールガイドを備えているので、印刷物等を挟んだサンドイッチシートを書類搬送用ケースから円滑に出し入れすることができるという効果がある。
【００２４】
また、この発明は、アウターボックスの蓋部にロールガイド固定用スリットを設けた場合、ロールガイドの入り側端部を背面部に密着させることができ、従って、アウターボックスとロールガイドの間の隙間にサンドイッチシートが誤って入ってしまうのを防ぐことができるという効果がある。
【００２５】
また、この発明は、前記サンドイッチシートの裏面側シートの基端部側の略半分の面を補強板で補強した場合は、サンドイッチシートが座屈し難くなり、インナーボックスとロールガイドの間の隙間に挿入し易くなるという効果がある。
【００２６】
また、この発明は、前記インナーボックスの背面部の上辺近傍に該インナーボックスの上開口部を塞ぐ蓋部を設け、前記アウターボックスの蓋部に該インナーボックスの蓋部の端部を固定するスリットを設けた場合は、インナーボックス及びアウターボックスの蓋部を開けたままの状態に保持できるので、インナーボックス内のものを蓋部を一々開けることなく容易に取り出せるという効果がある。
【発明を実施するための最良の形態】
【００２７】
図１はこの発明の一実施の形態に係る書類搬送用ケースの説明図、図２は図１の書類搬送用ケースを構成しているアウターボックスの説明図、図３は図１の書類搬送用ケースを構成しているインナーボックスとロールガイドの説明図、図４は図１の書類搬送用ケースを構成しているサンドイッチシートの平面図、図５は図１の書類搬送用ケースを構成しているサンドイッチシートの断面図である。
【００２８】
これらの図に示すように、書類搬送用ケース１０は、アウターボックス１２と、アウターボックス１２内に収納されているインナーボックス１４と、アウターボックス１２とインナーボックス１４の間に収納されているロールガイド１６と、インナーボックス１４とロールガイド１６の間の隙間に収納されるサンドイッチシート１８とからなる。
【００２９】
アウターボックス１２は、前面部２０と、前面部２０と所定間隔をおいて対向する背面部２２と、前面部２０の底辺と背面部２２の底辺を繋ぐ底部２４と、前面部２０の側辺と背面部２２の側辺を繋ぐ一対の側部２６，２６と、背面部２２の上辺近傍に折曲可能に設けられた蓋部２８とを備えた扁平な箱状のものからなる。
【００３０】
インナーボックス１４は、前面部３０と、前面部３０と所定間隔をおいて対向する背面部３２と、前面部３０の底辺と背面部３２の底辺を繋ぐ底部３４と、前面部３０の側辺と背面部３２の側辺を繋ぐ一対の側部３６，３６とを備えた扁平な箱状のものからなる。
【００３１】
ロールガイド１６は、インナーボックス１４の底部３４を囲む湾曲ガイド面部３８と、湾曲ガイド面部３８からインナーボックス１４の前面部３０に延長形成された前ガイド面部４０と、湾曲ガイド面部３８からインナーボックス１４の背面部３２に延長形成された後ガイド面部４２とからなる。
【００３２】
ロールガイド１６の湾曲ガイド面部３８の湾曲軸４４はインナーボックス１４の底部３４と略平行になっており、前ガイド面部４０の端部はインナーボックス１４の前面部３０に取り付けられている
【００３３】
アウターボックス１２の蓋部２８には取手４６及び一の連結具４８が設けられ、前面部２０には他の連結具５０が設けられ、一の連結具４８と他の連結具５０とは連結可能又は連結解除可能になっている。
【００３４】
アウターボックス１２の背面部２２の上方位置にロールガイド１６の後ガイド面部４２の端部を固定するスリット５２が設けられている。
【００３５】
インナーボックス１４の背面部３２の上辺近傍にはインナーボックス１４の上開口部を塞ぐ蓋部５４が設けられ、アウターボックス１２の蓋部２８にはインナーボックス１４の蓋部５４の端部を固定するスリット５６が設けられている。
【００３６】
アウターボックス１２の側部２６，２６及びインナーボックス１４の側部３６，３６にはスリット５８，６０が各々設けられ、これらのスリット５８，６０は相互に係合し合って、側部２６，３６同士が連結されている。
【００３７】
ここで、アウターボックス１２の側部２６，２６及びインナーボックス１４の側部３６，３６にスリット５８，６０を設ける代わりに、側部２６，３６の裏側に面ファスナーを取り付け、側部２６，３６相互を連結させるようにしてもよい。
【００３８】
サンドイッチシート１８は、表面側シート６２及び裏面側シート６４からなり、表面側シート６２の先端部近傍と裏面側シート６４の先端部近傍は相互に連結している。サンドイッチシート１８の裏面側シート６４の基端部側の略半分の面は補強板６６で補強されている。
【００３９】
次に、この書類搬送用ケースの使用方法について説明する。
【００４０】
まず、テーブル等、平らな台の上にサンドイッチシート１８を載せ、表側シート６２を開き、裏側シート６４の上に印刷物等を載せ、表側シート６２を戻し、印刷物等を表側シート６２と裏側シート６４で挟む。
【００４１】
次に、印刷物等を挟んだ状態のサンドイッチシート１８の先端部を、インナーボックス１４とロールガイド１６の間の隙間に挿入し、サンドイッチシート１８全体を更に中へ押し込む。
【００４２】
サンドイッチシート１８の先端部はロールガイド１６の後ガイド面部４２とインナーボックス１４の背面部３２の間に入り、ロールガイド１の湾曲ガイド面部３８とインナーボックス１４の底部３４の間で湾曲し、ロールガイド１６の前ガイド面部４０とインナーボックス１４の前面部３０の間に入り、サンドイッチシート１８はインナーボックス１４とロールガイド１６との間に図６に示すように湾曲した状態で収納される。
【００４３】
折り畳み傘、録音機、パソコン等、印刷物等以外のものを入れる必要が有る場合は、これらをインナーボックス１４の中に収納する。そして、アウターボックス１２の蓋部２８を閉状態にし、連結具４８，５０を連結させる。
【００４４】
次に、この書類搬送用ケースを運んだ先の場所においては、アウターボックス１２の連結具４８，５０を外し、アウターボックス１２の蓋部２８を開状態にし、サンドイッチシート１８を引き抜く。
【００４５】
引き抜いたサンドイッチシート１８はテーブル等、平らな台の上に置く。印刷物等はサンドイッチシート１８で挟まれた状態で湾曲しているので、曲率が大きく、気になるほどのカールは生じない。また、印刷物等はサンドイッチシート１８で保護され、しかも、インナーボックス１４とロールガイド１６とに保護されているので、傷付けられる心配も全くない。
【００４６】
インナーボックス１４の中に入れたものを取り出す必要が有る場合は、インナーボックス１４の蓋部５４を開状態にし、蓋部５４の端部をアウターボックス１２の蓋部２８のスリット５６に係合させておけば、蓋部５４を開いたままにすることができる。
【００４７】
なお、図７及び図８に示すように、アウターボックス１２の蓋部２８の内側面に、アウターボックス１２の背面部２２の上辺に沿って板厚の途中まで切れた状態の切れ目６８を入れ、アウターボックス１２の蓋部２８が外側に向かって折れ易く、開口状態を保ち易くしてもよい。
【００４８】
更に、図７及び図８に示すように、アウターボックス１２の背面部２２の上辺近傍に内蔵保持シート７０を設け、普段は内蔵保持シート７０を背面部２２の内側に収納させ、アウターボックス１２の蓋部２８を開口状態に保つ必要がある場合は、内蔵保持シート７０を引っ張り出して取手４６の内側に通し、取手４６を引っ張って蓋部２８を開いた状態で、内蔵保持シート７０の先端部を内蔵保持シート７０の基端部付近に面ファスナー７２で固定するようにしてもよい。
【図面の簡単な説明】
【００４９】
【図１】この発明の一実施の形態に係る書類搬送用ケースの説明図である。
【図２】図１の書類搬送用ケースを構成しているアウターボックスの説明図である。
【図３】図１の書類搬送用ケースを構成しているインナーボックスとロールガイドの説明図である。
【図４】図１の書類搬送用ケースを構成しているサンドイッチシートの平面図である。
【図５】図１の書類搬送用ケースを構成しているサンドイッチシートの断面図である。
【図６】図１の書類搬送用ケース内に収納されて湾曲している状態のサンドイッチシートの説明図である。
【図７】アウターボックスの蓋部が内蔵保持シートによって開口させられている状態を説明するための説明図である。
【図８】図７のアウターボックスの内蔵保持シート付近の断面図である。
【符号の説明】
【００５０】
１０    書類搬送用ケース
１２    アウターボックス
１４    インナーボックス
１６    ロールガイド
１８    サンドイッチシート
２０    前面部
２２    背面部
２４    底部
２６    側部
２８    蓋部
３０    前面部
３２    背面部
３４    底部
３６    側部
３８    湾曲ガイド面部
４０    前ガイド面部
４２    後ガイド面部
４４    湾曲軸
４６    取手
４８    連結具
５０    連結具
５２    スリット
５４    蓋部
５６    スリット
５８    スリット
６０    スリット
６２    表側シート
６４    裏側シート
６６    補強板
６８    切れ目
７０    内蔵保持シート
７２    面ファスナー
【図１】
0004632641.tif 000002
【図２】
0004632641.tif 000003
【図３】
0004632641.tif 000004
【図４】
0004632641.tif 000005
【図５】
0004632641.tif 000006
【図６】
0004632641.tif 000007
【図７】
0004632641.tif 000008
【図８】
0004632641.tif 000009